(57)【要約】      （修正有）【課題】引き出し可能なシャワーに伝わって流れる流体が、ホースに伝わって水栓支持台の下部にまで流れることによる湿気の損害を回避できる水栓を提供する。【解決手段】サニタリー水栓１は、引出し可能なシャワー４のための保持部３を有する水栓ハウジング２を備え、保持部３に、シャワー４のホース６に伝って流下する流体を流出部に向けて変向するためのシール要素５が配置されており、これにより、流体が、サニタリー水栓１の支持体８よりも上方で水栓ハウジング２から導出可能である。【選択図】図１
2016160748.tif 000002
【特許請求の範囲】
【請求項１】
サニタリー水栓（１）であって、
引出し可能なシャワー（４）のための保持部（３）を有する水栓ハウジング（２）を備え、
前記保持部（３）内に、前記シャワー（４）のホース（６）に伝って流下する流体を流出部（７）に向けて変向するためのシール要素（５）が配置されており、これにより流体が、当該サニタリー水栓（１）の支持体（８）よりも上方で前記水栓ハウジング（２）から導出可能であることを特徴とする、サニタリー水栓。
【請求項２】
前記シール要素（５）は、前記ホース（６）と前記保持部（３）との間の隙間（９）を封止する、請求項１記載のサニタリー水栓。
【請求項３】
前記シール要素（５）は、シールリップ（１０）を有する、請求項１または２記載のサニタリー水栓。
【請求項４】
前記シールリップ（１０）は、少なくとも部分的に、前記ホース（６）と前記シャワー（４）の円錐部（１２）の内面（１１）との間に延在している、請求項３記載のサニタリー水栓。
【請求項５】
前記シールリップ（１０）は、少なくとも部分的に半径方向内方へ延在している、請求項３または４記載のサニタリー水栓。
【請求項６】
前記流出部（７）は、少なくとも部分的に、前記水栓ハウジング（２）の開口（１３）を通って延在している、請求項１から５までのいずれか１項記載のサニタリー水栓。
【請求項７】
前記シール要素（５）は、少なくとも部分的に、前記シャワー（４）のまたは前記ホース（６）の少なくとも１つの凹部（１４）内に係合している、請求項１から６までのいずれか１項記載のサニタリー水栓。
【発明の詳細な説明】
【技術分野】
【０００１】
本発明は、特に洗面台、流し台、シャワーおよび／または浴槽に使用可能であるサニタリー水栓に関する。そのようなサニタリー水栓は、特に冷水と温水とを混合して所望の混合湯水温度を有する混合湯水を生成する、かつ／または流体流を提供するために用いられる。
【背景技術】
【０００２】
先行技術に基づき、シャワーを備えるサニタリー水栓が公知であり、その公知のサニタリー水栓では、シャワーが、水栓ハウジングの保持部から引出し可能であり、これにより、たとえば流し台の遠くの領域に流体ジェットもしくはシャワージェットが届くようになっている。そのために、引出し可能なシャワーは、フレキシブルなホースと接続されており、このホースを通して、シャワーに、流体、たとえば水が供給される。そのようなサニタリー水栓には、シャワーに伝って流れる流体が、ホースに沿ってサニタリー水栓の支持体の下へ、たとえば下棚または作業台の下に達し、そこでたとえば湿気による損害を引き起こしてしまうという欠点がある。
【発明の概要】
【発明が解決しようとする課題】
【０００３】
したがって、本発明の課題は、先行技術に関して説明した問題を少なくとも部分的に解決し、特に、所望されない漏れもしくは湿気による損害を回避できるサニタリー水栓を提供することである。
【課題を解決するための手段】
【０００４】
この課題は、独立請求項の特徴を有するサニタリー水栓によって解決される。サニタリー水栓の別の好適な態様は、従属する形で記載された特許請求項に述べられている。従属する形で記載された特許請求項に個別に記載された特徴は、任意の技術的に有意義な形で互いに組み合わせることができ、発明の別の態様を定義することに留意すべきである。さらに、特許請求項に述べられた特徴は、明細書にて詳しく紹介されかつ説明され、その際、発明の好適な態様が明らかにされる。
【０００５】
本発明に係るサニタリー水栓は、引出し可能なシャワーのための保持部を有する水栓ハウジングを備え、保持部内に、シャワーのホースに伝って流下する流体を流出部に向けて変向するためのシール要素が配置されているので、流体が、サニタリー水栓の支持体よりも上方で、水栓ハウジングから導出可能である。
【０００６】
サニタリー水栓は、特に流し台、洗面台、シャワーおよび／または浴槽に関連して使用され、引出し可能なシャワーのための保持部を有する水栓ハウジングを備える。水栓ハウジングは、少なくとも部分的にプラスチックおよび／または金属から成っている。さらに、水栓ハウジングは、特に、たとえば作業台または下棚などの支持体に取付け可能である、または配置されている。保持部は、特に、シャワーが少なくとも部分的に差込み可能である、もしくはシャワーが部分的に保持されているかつ／または（片側で）固定可能である、水栓ハウジングの開口である。シャワーは、保持部から引出し可能である。このために、シャワーの、特にフレキシブルなホースが、（離れて位置する、もしくは水栓ハウジングの支持体よりも下方に配置された）流体源に接続されているので、シャワーに、たとえば水などの流体が供給可能である。ホースは、この引き出された状態でも同様に水栓ハウジングの開口を通って延在している。シャワーに伝って流れる流体がホースに沿って水栓ハウジングを通って支持体よりも下方へまたは支持体に達することを阻止するために、保持部内にシール要素が配置されている。シール要素は、特に、好適には少なくとも部分的に管状に形成されていて、かつ／または少なくとも部分的に保持部の内面を囲む別個の構成部材である。さらに、シール要素は、特に保持部に圧入可能である。そのために、シール要素は、少なくとも部分的に弾性材料から成っていてよいので、シール要素は、摩擦接続により保持部内に取付け可能である。弾性材料は、たとえばゴムまたは熱可塑性エラストマ（ＴＰＥ）であってよい。シャワーおよび／またはホースは、さらに少なくとも部分的にシール要素を貫通して案内されていてよい。シール要素によって、外側でホースに沿って流れる流体（シャワーヘッドからの漏れおよび／またはシャワーヘッドに伝って流れる水）は、保持部内で、水栓ハウジングの流出部に向けて変向可能であるので、流体が、サニタリー水栓の支持体よりも上方で水栓ハウジングから導出可能である。流出部は、特に溝または孔の形で水栓ハウジングに形成されている。こうして、流体がサニタリー水栓の支持体よりも下方へかつ／または支持体に流れて、そこで湿気による損害を引き起こしてしまうことを容易に阻止することができる。
【０００７】
同じく、シール要素がホースと保持部との間の隙間を封止すると好適である。ホースは、特に保持部もしくは水栓ハウジングを通って延在していて、そこで保持部と相俟って（環状の）隙間を形成している。この（環状の）隙間は、シール要素によって封止される。
【０００８】
さらに、シール要素がシールリップを有すると好適である。（突出しているかつ／または先細りにされた）シールリップは、好適には、シール要素の内面から少なくとも部分的に半径方向内方へ延在していて、かつ／またはシャワーのホースに接触してこれを包囲するので、シールリップを、ホースに伝って流下する流体流が越えることはない。
【０００９】
さらに、シールリップが少なくとも部分的にホースとシャワーの円錐部の内面との間に延在していると好適である。これは、シャワーが保持部に位置するときに当てはまる。シャワーの円錐部は、特に保持部へのシャワーの導入補助手段として用いられる。そのために、円錐部は、特に、シャワーの、シャワーの流体開口部とは反対側の端部に配置されている。さらに、ホースは、好適には円錐部に開口していて、かつ／または少なくとも部分的に円錐部を貫通して延在している。シャワーが保持部から引き出されると、特にシールリップも、ホースと円錐部の内面との間から抜け出る。円錐部の内面は、シールリップに、好適にはホースの方向に圧力を加えるので、シールリップは、特に高い緊密性を有する。
【００１０】
さらに、シールリップが少なくとも部分的に半径方向内方へ延在していると好適である。
【００１１】
同様に、流出部が少なくとも部分的に水栓ハウジングの開口を通って延在していると好適である。この場合、流出部は、好適にはシール要素から半径方向外方へ延在していて、かつ／またはシール要素と一体的に形成されている。
【００１２】
さらに、シール要素が少なくとも部分的にシャワーまたはホースの少なくとも１つの凹部内に係合していると好適である。これにより、特に高い緊密性を得ることができる。
【００１３】
以下に、本発明ならびに技術環境を、図面に基づいて詳しく説明する。図面は、本発明の特に好適な実施の形態を示しているが、本発明は、これに限定されるものではないことに留意すべきである。図面において、同一の構成部材には同一符号を設けてある。
【図面の簡単な説明】
【００１４】
【図１】サニタリー水栓を断面図で示す。
【図２】シール要素の第１の実施の形態を含むサニタリー水栓の保持部の拡大図を示す。
【図３】シール要素の第１の実施の形態を縦断面で示す。
【図４】シール要素の第２の実施の形態を含むサニタリー水栓の保持部の拡大図を示す。
【発明を実施するための形態】
【００１５】
図１は、水栓ハウジング２を備えるサニタリー水栓１を示している。水栓ハウジング２は、支持体８に取り付けられている。水栓ハウジング２は、シャワー４のための保持部３を備える。シャワー４は、サニタリー水栓１の保持部３から引出し可能である。そのために、シャワー４は、フレキシブルなホース６と接続されており、ホース６を介して、シャワー４に流体が供給可能である。シャワー４に伝って流れる流体がホース６に沿って水栓ハウジング２を通って支持体８の下方へ達し、そこで湿気による損害を引き起こしてしまうことを阻止するために、保持部３内にシール要素５が配置されている。
【００１６】
図２は、サニタリー水栓１の、図１においてＩＩで表示した領域を拡大図で示している。図２では、特に保持部３内に配置されたシール要素５が看取される。シール要素５は、ホース６と保持部３との間の環状の隙間９を封止する。そのために、シール要素５は、少なくとも部分的に半径方向内方へ延在するシールリップ１０を備え、シールリップ１０は、少なくとも部分的に、ホース６の凹部１４内に係合する。シール要素５は、さらに、半径方向外方へ延在する流出部７を備え、流出部７に向けて、流体が、シール要素５を通して案内可能であり、流出部７を通って、流体が、水栓ハウジング２から、図１に示された支持体８よりも上方で導出可能である。そのために、流出部７は、水栓ハウジング２の開口１３を通って延在している。
【００１７】
図３は、シール要素５の第１の実施の形態を縦断面図で示している。
【００１８】
図４は、シール要素５の第２の実施の形態を含むサニタリー水栓１の拡大された領域を示している。この第２の実施の形態は、シール要素５の第１の実施の形態とは、シールリップ１０が部分的にホース６とシャワー４の円錐部１２の内面１１との間に延在している点でのみ異なっている。
【００１９】
提案されたサニタリー水栓によって、特に、サニタリー水栓の支持体の、湿気による損害が阻止可能である。
【符号の説明】
【００２０】
１  サニタリー水栓
２  水栓ハウジング
３  保持部
４  シャワー
５  シール要素
６  ホース
７  流出部
８  支持体
９  隙間
１０  シールリップ
１１  内面
１２  円錐部
１３  開口
１４  凹部
【図１】
2016160748.tif 000003
【図２】
2016160748.tif 000004
【図３】
2016160748.tif 000005
【図４】
2016160748.tif 000006